(57)【特許請求の範囲】
【請求項１】
フック部と、可動部と、把持部と、前記可動部と把持部との間に位置するロッド部と、を有し、前記可動部が、前記ロッド部側に倒れ込む第一位置と、前記フック部側に倒れ込む第二位置とに回動可能であり、前記第二位置において前記フック部と連結して閉環部を形成する人工毛締結具を用い、地毛を挿入可能なループ部を有する人工毛を、地毛に締結した後に、当該締結位置よりも地毛の上側の位置に地毛のみからなる玉結びを形成する、地毛の玉結び方法であって、
前記ロッド部に地毛を巻き付けるとともに、前記ロッド部に巻き付けた地毛の毛髪部を前記フック部に引っ掛かけた状態で、前記可動部を前記第一位置から前記第二位置に移動させて前記閉環部を形成させ、
前記地毛のループを前記閉環部までスライドさせた後、前記地毛の毛髪部を地肌から離れる方向に引っ張りながら、前記人工毛締結具を地肌に近づく方向に移動させることで、前記地毛のループを地肌側に近づけ、
前記フック部側から、前記地毛のループを前記人工毛締結具から外すことで、地毛で玉結びを形成する、地毛の玉結び方法。
【請求項２】
前記閉環部を形成する際に、前記地毛のループを前記フック部側にスライドさせることで、前記可動部を前記第一位置から前記第二位置へと移動させて前記閉環部を形成する、請求項１に記載の地毛の玉結び方法。
【請求項３】
地毛を地肌から離れる方向に引っ張る場合に、地毛を頭頂部側に引っ張ることを特徴とする、請求項１または２に記載の地毛の玉結び方法。
【請求項４】
請求項１ないし３のいずれかに記載の地毛の玉結び方法によって地毛の玉結びを形成することを特徴とする、人工毛締結方法であって、
人工毛を地毛に締結する際に、前記人工毛のループ部の中に前記人工毛締結具を前記ロッド部まで挿入するとともに、地毛を前記フック部に引っ掛けた状態で、前記可動部を前記第一位置から前記第二位置へと移動させて前記閉環部を形成させ、前記フック部側から前記人工毛のループ部を前記人工毛締結具から外すことで地毛を前記ループ部に通し、前記人工毛のループ部を絞り地毛と人工毛とを締結することを特徴とする、人工毛締結方法。
【請求項５】
前記閉環部を形成する際に、前記人工毛のループ部を前記フック部側にスライドさせることで、前記可動部を前記第一位置から前記第二位置へと移動させて前記閉環部を形成する、請求項４に記載の人工毛締結方法。
【請求項６】
請求項１ないし３のいずれかに記載の地毛の玉結び方法によって地毛の玉結びを形成することを特徴とする、人工毛締結方法であって、
人工毛を地毛に締結する際に、ひばり結びにより形成された前記人工毛のループ部に前記人工毛締結具の開閉環を挿入する第１工程と、地毛に前記人工毛締結具の開閉環を引っ掛ける第２工程と、前記人工毛締結具の開閉環を前記ループ部から抜脱することで、前記地毛を前記ループ部に通す第３工程と、前記人工毛のループ部を絞り地毛と人工毛とを締結する第４工程と、を有することを特徴とする、人工毛締結方法。
【請求項７】
請求項１ないし３のいずれかに記載の地毛の玉結び方法によって形成した地毛の玉結びよりも下側の位置における、人工毛と地毛との締結を修復する人工毛締結修復方法であって、
人工毛と地毛との締結箇所を地肌側に移動させた後に、前記締結箇所よりも先端側の地毛を指に巻き付けてクロスし、
前記クロスした地毛の輪の中に前記人工毛締結具を挿入し、
前記人工毛締結具の挿入側と反対側の地毛の毛髪部を前記フック部に引っ掛けて、前記毛髪部を前記クロスした地毛の輪の中に通して止め結びする、人工毛締結修復方法。
【請求項８】
前記人工毛締結具は、前記把持部の後端部が円錐状となっており、
前記止め結びされた地毛の輪の中に前記人工毛締結具の後端部を挿入し、前記後端部に沿って地毛の輪を小さく絞ることで、玉結びを形成する、請求項７に記載の人工毛締結修復方法。
【発明の詳細な説明】
【技術分野】
【０００１】
本発明は、人工毛を地毛に締結する人工毛締結方法、および、地毛に締結した人工毛の締結を修復する人工毛締結修復方法に関する。
【背景技術】
【０００２】
従来、１本または数本の人工毛を地毛の一本一本に締結することで、増毛を行う方法が知られている。たとえば、特許文献１では、人工毛をループさせ、このループ内に地毛を挿入し、ループを絞ることで、人工毛を地毛に締結する方法が開示されている。
一方、このような技術は、地毛の一本一本に人工毛を取り付ける作業となるため、膨大な数の人工毛を取り付ける場合には、人工毛のループ内に地毛を挿入する作業を容易にすることが、施術者の負担軽減や作業時間短縮に重要となる。そのため、特許文献２では、カギ針と特有の人工毛締結具の２つの器具を用いて、人工毛のループ内に地毛を容易に挿入する技術を提案している。
【先行技術文献】
【特許文献】
【０００３】
【特許文献１】特開平６−３１３２０２号公報
【特許文献２】特許第６６９７６２０号公報
【発明の概要】
【発明が解決しようとする課題】
【０００４】
しかしながら、特許文献２に記載の方法では、入手が困難な特殊な人工毛締結具が必要となることに加えて、人工毛締結具とカギ針の２つの器具を用いて人工毛を地毛に締結するものであるため、施術者の両手が器具で塞がれてしまい、人工毛を地毛に締結するために一定の技量が必要とされることとなる。そのため、より汎用かつ容易な方法で人工毛を地毛に締結することができる人工毛締結方法が希求されていた。
さらに、人工毛を地毛に締結した後に、施術を受けた人の髪が伸びた場合には、人工毛の締結が緩んでしまう場合や、人工毛の締結箇所が地肌から離れてしまう場合があり（たとえば３か月で３ｃｍ程度地肌よりも上に締結箇所が移動する。）、人工毛の締結を修復する必要がある。このような人工毛の締結を修復する際にも、汎用かつ容易に行うことができる人工毛締結修復方法が希求されていた。
【０００５】
本発明は、汎用かつ容易に、人工毛を地毛に締結することができ、また、人工毛の締結を修復することができる、人工毛締結方法および人工毛締結修復方法を提供することを目的とする。
【課題を解決するための手段】
【０００６】
本発明に係る地毛の玉結び方法は、フック部と、可動部と、把持部と、前記可動部と把持部との間に位置するロッド部と、を有し、前記可動部が、前記ロッド部側に倒れ込む第一位置と、前記フック部側に倒れ込む第二位置とに回動可能であり、前記第二位置において前記フック部と連結して閉環部を形成する人工毛締結具を用い、地毛を挿入可能なループ部を有する人工毛を、地毛に締結した後に、当該締結位置よりも地毛の上側の位置に地毛のみからなる玉結びを形成する、地毛の玉結び方法であって、前記ロッド部に地毛を巻き付けるとともに、前記ロッド部に巻き付けた地毛の毛髪部を前記フック部に引っ掛かけた状態で、前記可動部を前記第一位置から前記第二位置に移動させて前記閉環部を形成させ、前記地毛のループを前記閉環部までスライドさせた後、前記地毛の毛髪部を地肌から離れる方向に引っ張りながら、前記人工毛締結具を地肌に近づく方向に移動させることで、前記地毛のループを地肌側に近づけ、前記フック部側から、前記地毛のループを前記人工毛締結具から外すことで、地毛で玉結びを形成する。
上記地毛の玉結び方法において、前記閉環部を形成する際に、前記地毛のループを前記フック部側にスライドさせることで、前記可動部を前記第一位置から前記第二位置へと移動させて前記閉環部を形成するように構成することができる。
上記地毛の玉結び方法において、地毛を地肌から離れる方向に引っ張る場合に、地毛を頭頂部側に引っ張るように構成することができる。
本発明の第１の観点に係る人工毛締結方法は、上記地毛の玉結び方法によって地毛の玉結びを形成することを特徴とする、人工毛締結方法であって、人工毛を地毛に締結する際に、前記人工毛のループ部の中に前記人工毛締結具を前記ロッド部まで挿入するとともに、地毛を前記フック部に引っ掛けた状態で、前記可動部を前記第一位置から前記第二位置へと移動させて前記閉環部を形成し、前記フック部側から、前記人工毛のループ部を前記人工毛締結具から外すことで、地毛を前記ループ部に通すことを特徴とする。
上記人工毛締結方法において、前記閉環部を形成する際に、前記人工毛のループ部を前記フック部側にスライドさせることで、前記可動部を前記第一位置から前記第二位置へと移動させて前記閉環部を形成するように構成することができる。
本発明の第２の観点に係る人工毛締結方法は、上記地毛の玉結び方法によって地毛の玉結びを形成することを特徴とする、人工毛締結方法であって、人工毛を地毛に締結する際に、ひばり結びにより形成された前記人工毛のループ部に前記人工毛締結具の開閉環を挿入する第１工程と、地毛に前記人工毛締結具の開閉環を引っ掛ける第２工程と、前記人工毛締結具の開閉環を前記ループ部から抜脱することで、前記地毛を前記ループ部に通す第３工程と、を有することを特徴とする。
本発明に係る人工毛締結修復方法は、上記地毛の玉結び方法によって形成した地毛の玉結びよりも下側の位置における、人工毛と地毛との締結を修復する人工毛締結修復方法であって、人工毛と地毛との締結箇所を地肌側に移動させた後に、前記締結箇所よりも先端側の地毛を指に巻き付けてクロスし、前記クロスした地毛の輪の中に前記人工毛締結具を挿入し、前記人工毛締結具の挿入側と反対側の地毛の毛髪部を前記フック部に引っ掛けて、前記毛髪部を前記クロスした地毛の輪の中に通して止め結びする。
上記人工毛締結修復方法において、前記人工毛締結具は、前記把持部の後端部が円錐状となっており、前記止め結びされた地毛の輪の中に前記人工毛締結具の後端部を挿入し、前記後端部に沿って地毛の輪を小さく絞ることで、玉結びを形成するように構成することができる。
【発明の効果】
【０００７】
本発明によれば、汎用かつ容易に、人工毛を地毛に締結することができ、また、人工毛の締結を修復することができる。
【図面の簡単な説明】
【０００８】
【図１】本実施形態で使用される人工毛の一例を示す斜視図である。
【図２】本実施形態で使用されるニードルの一例を示す斜視図である。
【図３】（Ａ）は、本実施形態に係るニードルの可動部が第一位置にある場合の要部拡大図であり、（Ｂ）は、本実施形態に係るニードルの可動部が第二位置にある場合の要部拡大図である。
【図４】本実施形態に係る人工毛締結処理を示すフローチャートである。
【図５】本実施形態に係る人工毛締結処理を説明するための図である（その１）。
【図６】本実施形態に係る人工毛締結処理を説明するための図である（その２）。
【図７】本実施形態に係る玉結び処理を示すフローチャートである。
【図８】本実施形態に係る玉結び処理を説明するための図である（その１）。
【図９】本実施形態に係る玉結び処理を説明するための図である（その２）。
【図１０】本実施形態に係る締結修復処理を示すフローチャートである。
【図１１】本実施形態に係る締結修復処理を説明するための図である（その１）。
【図１２】本実施形態に係る締結修復処理を説明するための図である（その２）。
【発明を実施するための形態】
【０００９】
以下に、図を参照して、本発明の実施形態を説明する。図１は、本実施形態に係る人工毛締結方法および人工毛締結修復方法において使用される人工毛１の一例を示す図であり、図２は、本実施形態に係る人工毛締結方法および人工毛締結修復方法において使用される人工毛締結具（以下、ニードル２という。）の一例を示す図である。本実施形態では、施術者（人）が、図１に示す人工毛１と、図２に示すニードル２とを使用して、人工毛１を地毛４に締結し、また、人工毛１の締結を修復する方法を例示する。なお、人工毛１およびニードル２は、本実施形態と同様の方法により、人工毛１の締結および修復を行うことができるものであれば、特に限定されず、図１に示す人工毛１や、図２に示すニードル２も特に限定されない。以下においては、まず、本実施形態において使用する人工毛１とニードル２について説明する。
【００１０】
人工毛１は、地毛４に締結させて増毛を行うために人工的に形成された毛髪である。人工毛１の素材は、特に限定されず、ファイバー毛またはアクリル毛などの化学繊維や、人毛を加工したものなど、市販されているものを適宜使用することができる。本実施形態に係る人工毛１では、図１に示すように、一定の大きさの径（後述するニードル２を用いて地毛４を挿入可能な径）を有するループ部１１が形成されており、ループ部１１の輪の中に中空の筒３が挿入された状態で使用される。なお、ループ部１１は、人工毛１の中央部分において、いわゆる、ひばり結びをすることで、人工毛１をループ状に形成した部分である。以下においては、人工毛１のうち、ループ部１１が形成されていない先端側の部分を、毛髪部１２として説明する。
【００１１】
ニードル２は、図２に示すように、フック部２１、可動部２２、ロッド部２３、把持部２５および後端部２６を有する。ここで、図３（Ａ）は、可動部が第一位置にある場合のニードルの要部拡大図であり、図３（Ｂ）は、ニードルの可動部が第二位置にある場合のニードルの要部拡大図である。フック部２１は、図３（Ａ）に示すように、鉤状となっており、人工毛１や地毛４を引っ掛けることが可能となっている。また、可動部２２は、回動可能となっており、図３（Ａ）に示すように、可動部２２がロッド部２３側に倒れた第一位置と、図３（Ｂ）に示すように、可動部２２がフック部２１側に倒れた第二位置との間を回動することが可能となっている。ニードル２は、図２および図３（Ｂ）に示すように、可動部２２が第二位置にある場合に、可動部２２とフック部２１とが連結し、閉環部２４が形成される。なお、施術者は、自身の指などで、可動部２２を第一位置または第二位置に移動させることができ、また、後述するように、人工毛１や地毛４を用いても可動部２２の位置を変更することができる。
【００１２】
また、ニードル２は、施術者が把持するための把持部２５を有し、把持部２５の後端に後端部２６を有する。後端部２６は、先に向かうほど尖った円錐状となっている。ただし、後端部２６の先端は丸みを有しており、施術者の指や、被施術者の頭皮を保護することができる。
【００１３】
次に、本実施形態に係る人工毛締結方法を、図４ないし図６を参照して説明する。図４は、本実施形態に係る人工毛締結処理を示すフローチャートである。また、図５および図６は、本実施形態に係る人工毛締結処理を説明するための図である。なお、以下に説明する人工毛締結処理は、図１に示す人工毛１と、図２，３に示すニードル２とを使用して、施術者（人）により実行される。また、図５および図６に示す例では、右手でニードル２を把持するものとして説明する（以下の図８，９および図１１，１２においても同様）。
【００１４】
まず、施術者は、図３（Ａ）に示すように、ニードル２の可動部２２を把持部２５側に倒れた第一位置に移動させる。そして、その状態で、図５（ａ）に示すように、ニードル２を、人工毛１のループ部１１を巻き付けている筒３の空洞３０内に挿入する。具体的には、ニードル２をフック部２１側から空洞３０内に挿入し、ニードル２のロッド部２３の一部が挿入されるまで、あるいは、ロッド部２３の直前まで空洞３０に挿入する。そして、人工毛１のループ部１１を筒３からニードル２のロッド部２３へとスライドさせ、ニードル２のロッド部２３において人工毛１を保持する（ステップＳ１０１）。この際、人工毛１のループ部１１を右手の指でロッド部２３側に押さえたまま、左手で筒３をニードル２と反対側に動かすことで、図５（ｂ）に示すように、ループ部１１の輪の中にニードル２のロッド部２３が挿入された状態とすることができる。
【００１５】
次いで、地毛４をニードル２のフック部２１に引っ掛ける（ステップＳ１０２）。具体的には、図５（ｃ）に示すように、可動部２２を第一位置としたまま、ニードル２を地毛４に向けて動かし、地毛４を下側からニードル２のフック部２１にかけた状態とする。なお、図５（ｂ）に示す状態からニードル２を地毛４に向けて動かした際に、人工毛１がフック部２１側にスライドし、可動部２２が第一位置から第二位置に移動してしまう場合があるため、可動部２２および人工毛１のループ部１１を右手の指で押さえたまま、ニードル２のフック部２１に地毛４を引っ掛けることが好ましい。
【００１６】
そして、図５（ｄ）に示すように、人工毛１のループ部１１をロッド部２３からフック部２１側へとスライドさせる（ステップＳ１０３）。ここで、図５（ｂ），（ｃ）に示すように、人工毛１の締結開始時、ニードル２の可動部２２は、把持部２５側に倒れた第一位置となっている。このステップＳ１０３で、人工毛１のループ部１１をフック部２１側へとスライドさせることで、可動部２２が人工毛１のループ部１１によってフック部２１側へ押されて、図５（ｄ）に示すように、可動部２２がフック部２１側に倒れた第二位置に移動する。そして、可動部２２が第二位置に移動すると、フック部２１と第二位置となった可動部２２とが連結し、閉環部２４が形成される。また、本実施形態では、フック部２１に地毛４を引っ掛けた状態のまま閉環部２４を形成するため、図５（ｄ）に示すように、閉環部２４が形成された際に、地毛４が閉環部２４の中に挿入された状態となる。
【００１７】
続いて、人工毛１のループ部１１をさらにフック部２１側にスライドすることで、人工毛１のループ部１１をニードル２から引き抜く（ステップＳ１０４）。これにより、図５（ｅ）、図６（ｆ）に示すように、人工毛１のループ部１１の輪の中に、地毛４を挿入した状態とすることができる。そして、図６（ｆ）に示すように、左手で人工毛１の毛髪部１２を摘まみ、図６（ｇ）に示すように、右手で人工毛１のループ部１１を押さえながら、左手で人工毛１の毛髪部１２を左側に軽く引っ張ることで、人工毛１のループ部１１の輪を小さく絞り、図６（ｈ）に示すように、人工毛１のループ部１１を人工毛１に締結させる（ステップＳ１０５）。なお、右手で人工毛１のループ部１１を押さえる際には、右手の親指を立ててしっかりとループ部１１を押さえることが好ましい。また、地毛４を誤って抜いてしまわないように、図６（ｇ）に示すように、地毛４に撓みを持たせておくことが好ましい。
【００１８】
そして、図６（ｉ）に示すように、締結した人工毛１と地毛４とを左右それぞれの手の指で摘まみ、反対側に引っ張ることで、図６（ｊ）に示すように、人工毛１のループ部１１を地肌近傍まで下げることができる（ステップＳ１０６）。これにより、地肌近傍において地毛４に人工毛１を締結させた状態とすることができる。
【００１９】
次に、ステップＳ１０７では、地毛４に締結させた人工毛１の上側に地毛４を玉結びすることで、人工毛１が地毛４から外れないようにする玉結び処理が行われる。ここで、図７は、本実施形態に係る人工毛１の玉結び処理を示すフローチャートであり、図８および図９は、本実施形態に係る人工毛１の玉結び処理を説明するための図である。なお、以下に説明する玉結び処理も、上述した人工毛締結処理と同様に、図１に示す人工毛１と、図２，３に示すニードル２とを使用して、施術者（人）により実行される。
【００２０】
具体的には、施術者は、まず、ニードル２の可動部２２を把持部２５側に倒した第一位置としておく。そして、図８（ａ）に示すように、地毛４を上側からニードル２のフック部２１に引っ掛け、その状態で、ニードル２を回転させることで、図８（ｂ）に示すように、地毛４をニードル２のフック部２１に巻き付け、ループ４１を形成する（ステップＳ２０１）。また、ループ４１を有する地毛４を押さえたまま、ニードル２をフック部２１側へと動かすことで、図８（ｃ）に示すように、地毛４のループ４１をニードル２のロッド部２３までスライドさせ、ロッド部２３が地毛４のループ４１の輪の中に挿入された状態とする。
【００２１】
次に、ニードル２のロッド部２３で地毛４のループ４１を保持した状態のまま、図８（ｄ）に示すように、ニードル２のフック部２１の下側から、地毛４の毛髪部４２を、フック部２１に引っ掛ける（ステップＳ２０２）。なお、地毛４の毛髪部４２をニードル２のフック部２１に引っ掛ける際に、地毛４のループ４１が可動部２２側にスライドし地毛４のループ４１が可動部２２をフック部２１側に押してしまい、フック部２１が第二位置に移動してしまうおそれがある。そのため、図８（ｄ）に示すように、可動部２２を右手の指で押えながら、地毛４の毛髪部４２をニードル２のフック部２１に引っ掛けることが好ましい。
【００２２】
続いて、図８（ｅ）に示すように、ニードル２のロッド部２３に巻き付いている地毛４のループ４１を、ニードル２のフック部２１側にスライドさせる。これにより、図８（ｅ）に示すように、可動部２２が第一位置から第二位置へと移動し、フック部２１と第二位置となった可動部２２とが連結し閉環部２４が形成され、地毛４の毛髪部４２が閉環部２４の輪の中に挿入された状態となる（ステップＳ２０３）。また、図９（ｆ）に示すように、地毛４のループ４１をフック部２１側にさらにスライドさせ、閉環部２４に挿入された地毛４の毛髪部４２と、閉環部２４を周回する地毛４のループ４１とが、閉環部２４の中央近傍で近接した状態とする。
【００２３】
そして、図９（ｇ）に示すように、地毛４のループ４１を地肌側までスライドさせる（ステップＳ２０４）。具体的には、図９（ｆ）に示すように、閉環部２４の中に挿入された地毛４の毛髪部４２と、閉環部２４の外側を周回する地毛４のループ４１とが近接している状態で、地毛４の毛髪部４２を頭頂部側に引っ張りながら、ニードル２を地肌方向に動かすことで、地毛４をニードル２で巻き取り、地毛４のループ４１を地肌側に移動させることができる。なお、この際、可動部２２が第一位置へと移動しないように、左手の指で摘まんでいる地毛４の毛髪部４２は頭頂部側に引っ張った状態とすることが好ましい。
【００２４】
続いて、地毛４のループ４１をニードル２から外す処理が行われる（ステップＳ２０５）。具体的には、地毛４の毛髪部４２をニードル２と反対側に引っ張りながら、ニードル２を把持部２５側に移動させることで、図９（ｈ）に示すように、地肌近傍でループ４１をニードル２から外すことができる。また、このように、ループ４１をニードル２から外すことで、地毛４のループ４１の輪の中に、地毛４の毛髪部４２が通った状態とすることができる。そして、図９（ｉ）に示すように、ニードル２を地肌から離れる方向に持ち上げることで、ニードル２の閉環部２４の中に挿入されていた地毛４の毛髪部４２の全てを、地毛４のループ４１の中を通すことができ、地毛４の玉結びを形成することができる（ステップＳ２０６）。なお、図９（ｈ）に示すように、地毛４のループ４１をニードル２から外したら直ぐに、ループ４１部分を指で押さえることで、玉結びのずれを防止しながら、地毛４の毛髪部４２を全てループ４１の中を通させて、玉結びを形成することができる。
【００２５】
次いで、本実施形態に係る人工毛１の締結修復方法について、図１０〜図１２を参照して説明する。ここで、図１０は、本実施形態に係る人工毛１の締結修復処理を示すフローチャートであり、図１１および図１２は、本実施形態に係る人工毛１の締結修復処理を説明するための図である。本実施形態において、人工毛１の締結修復処理とは、人工毛１の締結処理（玉結び処理を含む）を行ってから、たとえば数カ月後、髪がある程度伸びた場合に、図１１（ａ）に示すように、人工毛１の締結箇所が地肌から離れてしまう場合や、人工毛１の締結が緩んでしまう場合があり、このような問題を解決するために、再度、人工毛１を締結し直す処理である。なお、以下に説明する人工毛１の締結修復処理も、上述した人工毛１の締結処理や玉結び処理と同様に、図１に示す人工毛１と、図２，３に示すニードル２とを使用して、施術者（人）により実行される。
【００２６】
まず、図１１（ｂ）に示すように、人工毛１の締結箇所が地肌から離れている人工毛１や、締結自体が緩んでいる人工毛１のループ部１１を再度、指でしっかりと絞り、人工毛１と地毛４との締結を強固にし、人工毛１を地毛４に再締結する処理が行われる（ステップＳ３０１）。そして、図１１（ｃ）に示すように、人工毛１と地毛４とを左右それぞれの手の指で摘まみ、反対方向にそれぞれ優しく引っ張ることで、人工毛１のループ部１１（締結部分）を地肌近傍まで下げる処理が行われる（ステップＳ３０２）。
【００２７】
続いて、図１１（ｄ）に示すように、地毛４を左手の人差し指に上側から巻き付け、地毛４を人差し指にクロスさせる処理が行われる (ステップＳ３０３)。そして、クロスさせた地毛４の玉結びが行われる（ステップＳ３０４）。具体的には、ニードル２の可動部２２を第一位置に移動させた状態で、図１１（ｅ）に示すように、ループさせた地毛４の下にニードル２を括らせて、地毛４のクロスの中にニードル２を挿入する。そして、ニードル２のフック部２１で、地毛４の毛髪部４２（地毛４のクロスを括らせた先の地毛の毛髪部４２）を上側から引っ掛ける。そして、図１１（ｆ）に示すように、ニードル２を把持部２５側へと動かし、ニードル２を地毛４のループ４１から引き抜く。これにより、図１１（ｆ）に示すように、フック部２１で引っ掛けた地毛４の毛髪部４２が、地毛４のループ４１の中を通って、地毛４のループ４１の輪の中に挿入された状態となる。なお、本実施形態では、図１１（ｆ）のように、クロスさせた地毛４のループ４１の輪の中に地毛４の毛髪部４２を挿入した状態を、止め結びとも言う。
【００２８】
さらに、図１２（ｇ）に示すように、ニードル２の後端部２６が、止め結びした地毛４のループ４１に挿入される（ステップＳ３０５）。そして、図１２（ｈ）に示すように、地毛４のループ４１から指だけを引き抜き、地毛４のループ４１に後端部２６を挿入させた状態で、地毛４の毛髪部４２を引っ張ることで、地毛４のループが小さく絞られ、図１２（ｉ）に示すように、地肌近傍において、地毛４の玉結びが形成される（ステップＳ３０６）。なお、地毛４の玉結びを形成する際は、後端部２６を地毛４が生えている頭皮付近に近づけていき、地毛４と人工毛１との締結箇所の少し上の位置まで来たら、後端部２６を地毛４のループ４１から引き抜く。そして、右手の人差し指で結び目を押えながら、地毛４を左手で軽く引くことで、地毛４と人工毛１との締結箇所の少し上の位置であって、地肌に近い位置において、地毛４の玉結びを形成することができる。
【００２９】
以上のように、本実施形態では、図５（ｂ）に示すように、人工毛１のループ部１１をニードル２のロッド部２３に保持した状態で、図５（ｃ）に示すように、地毛４をフック部２１に引っ掛ける。そして、図５（ｄ）に示すように、人工毛１のループ部１１をフック部２１側にスライドさせ、可動部２２を第一位置から第二位置へと移動させて閉環部２４を形成する。さらに、図５（ｅ）に示すように、フック部２１側から、人工毛１のループ部１１をニードル２から外すことで、図６（ｆ）に示すように、ループ部１１の中に地毛４を挿入させることができる。このように、本実施形態では、器具としてニードル２だけを用い、地毛４を、人工毛１のループ部１１内に容易に挿入することができるため、施術者の負担軽減や作業時間の短縮を図ることができる。
【００３０】
また、地毛４に締結させた人工毛１が、地毛４から外れないように、人工毛１と地毛４との締結箇所よりも地毛４の先端側において、地毛４の玉結び処理が必要となる。本実施形態では、図８（ｂ），（ｃ）に示すように、ニードル２のロッド部２３に地毛４を巻き付けてループ４１を形成した状態で、図８（ｄ）に示すように、ロッド部２３に巻き付けた地毛４の毛髪部４２をフック部２１に引っ掛ける。そして、図８（ｅ）に示すように、地毛４のループ４１をフック部２１側にスライドさせて可動部２２を第一位置から第二位置に移動させることで閉環部２４を形成する。そして、図９（ｆ）に示すように、地毛４のループ４１を閉環部２４まで移動させ、図９（ｇ）に示すように、地毛４の毛髪部４２を手で摘まみながらニードル２を地肌方向に動かすことで、ニードル２で地毛４を巻き取り、地毛４のループ４１を地肌方向に移すことができ、図９（ｈ）に示すように、地肌の近くで地毛４の玉結びを形成することができる。このように、本実施形態では、器具としてニードル２だけを用いて、容易に、地毛４の玉結び処理を適切に行うこともできる。
【００３１】
さらに、人工毛１を締結した後に、施術を受けた人の髪が伸びた場合、人工毛１の締結が緩む場合や、人工毛１の締結箇所が地肌から離れた位置（たとえば３か月で３ｃｍほど）となってしまう場合があり、人工毛１の締結修復処理が必要となる。本実施形態においては、図１１（ｃ）に示すように、人工毛１と地毛４との締結箇所を地肌側に移動させた後に、図１１（ｄ）に示すように、締結箇所よりも先端側の地毛４を指に巻き付けてクロスする。そして、図１１（ｅ）に示すように、クロスした地毛４の輪の中にニードル２を挿入し、ニードル２の挿入側と反対側にある地毛４の先部をフック部２１に引っ掛け、図１１（ｆ）に示すように、地毛４の毛髪部４２をクロスした地毛４の輪を通す。さらに、図１１（ｇ）に示すように、地毛４のループ４１の中にニードル２の後端部２７を差し込み、図１１（ｆ）に示すように、後端部２７を地肌に近づけながら、後端部２７に沿って輪を小さく絞ることで、図１１（ｇ）に示すように、地毛４の輪を地肌近傍で結ぶことで玉結びを形成する。これにより、器具としてニードル２だけを用いて、容易に、人工毛１の締結修復処理を行うこともできる。
【００３２】
以上、本発明の好ましい実施形態例について説明したが、本発明の技術的範囲は上記実施形態の記載に限定されるものではない。上記実施形態例には様々な変更・改良を加えることが可能であり、そのような変更または改良を加えた形態のものも本発明の技術的範囲に含まれる。
【００３３】
たとえば、上述した実施形態では、１本の地毛４に人工毛１を締結する構成を例示したが、この構成に限定されず、たとえば、複数本（たとえば２〜３本）の地毛４に人工毛１を締結する構成とすることができる。また、１本の地毛４に複数本の人工毛１を締結する構成としてもよいし、複数本の地毛４に複数本の人工毛１を締結する構成としてもよい。
【符号の説明】
【００３４】
１…人工毛
１１…ループ部
１２…毛髪部
２…ニードル
２１…フック部
２２…可動部
２３…ロッド部
２４…閉環部
２５…把持部
２６…後端部
３…筒
３０…空洞
４…地毛
４１…ループ
４２…毛髪部
４３…前回玉結び部
【要約】
【課題】汎用かつ容易に、人工毛を地毛に締結することができ、また、人工毛の締結を修復することができる、人工毛締結方法および人工毛締結修復方法を提供する。
【解決手段】フック部２１と、可動部２２と、把持部２５と、可動部２２と把持部２５との間に位置するロッド部２３と、を有し、可動部２２が、ロッド部２３側に倒れ込む第一位置と、フック部２１側に倒れ込む第二位置とに回動可能であり、第二位置においてフック部２１と連結して閉環部２４を形成する人工毛締結具２用い、地毛４を挿入可能なループ部１１を有する人工毛１を、地毛４に締結する人工毛締結方法であって、人工毛１のループ部１１の輪の中に人工毛締結具２をロッド部２３まで挿入するとともに、地毛４をフック部２１に引っ掛けた状態で、可動部２２を第一位置から第二位置へと移動させて閉環部２４を形成させ、フック部２１側から、人工毛１のループ部１１を人工毛締結具２から外すことで、地毛４をループ部１１の中に通すことを特徴とする。
【選択図】図１【図１】
0006937068.tif 000002
【図２】
0006937068.tif 000003
【図３】
0006937068.tif 000004
【図４】
0006937068.tif 000005
【図５】
0006937068.tif 000006
【図６】
0006937068.tif 000007
【図７】
0006937068.tif 000008
【図８】
0006937068.tif 000009
【図９】
0006937068.tif 000010
【図１０】
0006937068.tif 000011
【図１１】
0006937068.tif 000012
【図１２】
0006937068.tif 000013